(57)【特許請求の範囲】
【請求項１】
カップが収納される外筒体と、この外筒体のカップ取出口側に嵌合される内筒体と、上記外筒体に配設されたバネ体と、から構成され、上記バネ体は、筒体内に収納されたカップの口部に弾接し、前記内筒体の胴部周方向に沿って所要間隔毎にスリットを開設し、かつ、前記外筒体の胴部周方向に沿ってスリットを所要間隔毎に開設し、該外筒体の各スリットは、内筒体が外筒体に回転自在に嵌装されたときに内筒体の各スリットと同心となる位置に開設されていると共に、上記外筒体の外周面にはバネ体であるエンドレス状のスプリングを上記各スリットに嵌合するように巻装し、上記内筒体を回転させることで、上記各スリットに嵌合されているスプリングの内筒体内方への突出量を調整できるように構成されていることを特徴とするカップディスペンサー。
【請求項２】
前記内筒体の胴部に突起片を突設すると共に、前記外筒体の胴部に上記突起片がスライド自在に嵌装されるガイド溝を開設したことを特徴とする請求項１に記載のカップディスペンサー。
【請求項３】
前記バネ体は、細径のコイルスプリングを複数本、前記スリットに嵌合するように巻装されていることを特徴とする請求項１又は請求項２のいずれかに記載のカップディスペンサー。
【発明の詳細な説明】
【０００１】
【発明の属する技術分野】
この発明は、紙カップや合成樹脂製カップ等のカップを、例えば、１個づつ取り出すためのカップディスペンサーに関する。
【０００２】
【従来の技術とその課題】
周知のように、コーヒーや紅茶、ジュース類、スープ類、アイスクリーム等の冷菓等が注がれ、或は、収納されるカップは、例えば、図８と図９に示すようなキャビネットＫの前面に配設されたカップディスペンサーＤに収納され、使用の都度、１個づつ取り出すことができるようにセットされている。
【０００３】
ところで、この従来のカップディスペンサーＤは、図１０と図１１に示すように、カップＣが収納される筒体１と、この筒体１のカップ取出口近傍であって周方向に沿って所要間隔毎（図示例では１２０度間隔）に突設された複数の爪片２と、から構成されており、これら各爪片２は、カップＣの膨出口部３を係止保持するように構成されていた。尚、図中符号４は積層されたカップＣを取出口方向にスプリング５の付勢力により押圧するカップ押えを、符号６は筒体１の取付用鍔を、符号７は、キャビネットＫ内に配設された支持具８に筒体１を固定するロッド９を有する蓋体である。
【０００４】
一方、上記カップＣは、収納する飲料等の種類や量及びホット・コールドの別によってカップサイズや容量等が多種であるため、これらを収納する筒体１の大きさもこれに伴い多種類となる。
【０００５】
しかしながら、上記従来のカップディスペンサーＤは、カップＣを係止保持する爪片２が筒体１の内方に向かって突出形成されている固定方式であるため、カップサイズにあった筒体１を別々に用意しなければならない、という非常に非効率的な問題を有していると共に、夏・冬では提供される飲料の種類も異なりカップＣの交換が必要となることから、その都度、提供される飲料に適合するカップが収納される筒体１をその都度交換しなければならず、かかる作業が非常に煩雑である、という問題を有していた。
【０００６】
この発明は、かかる現状に鑑み創案されたものであって、その目的とするところは、収納されるカップサイズに適合するように係止手段をアジャスタブルに調整することで、筒体をカップサイズに対応させて用意し交換する心配が全くない使い勝手に優れ、効率性にも優れたカップディスペンサーを提供しようとするものである。
【０００７】
【課題を解決するための手段】
上記目的を達成するため、この発明にあっては、カップディスペンサーを、カップが収納される外筒体と、この外筒体のカップ取出口側に嵌合される内筒体と、上記外筒体に配設されたバネ体と、から構成され、上記バネ体は、筒体内に収納されたカップの口部に弾接し、前記内筒体の胴部周方向に沿って所要間隔毎にスリットを開設し、かつ、前記外筒体の胴部周方向に沿ってスリットを所要間隔毎に開設し、該外筒体の各スリットは、内筒体が外筒体に回転自在に嵌装されたときに内筒体の各スリットと同心となる位置に開設されていると共に、上記外筒体の外周面にはバネ体であるエンドレス状のスプリングを上記各スリットに嵌合するように巻装し、上記内筒体を回転させることで、上記各スリットに嵌合されているスプリングの内筒体内方への突出量を調整できるように構成したことを特徴とするものである。
【０００９】
この場合、上記内筒体の胴部に突起片を突設すると共に、前記外筒体の胴部に上記突起片がスライド自在に嵌装されるガイド溝を開設することで、回転操作をより円滑に行うことができるように構成するのが望ましい。
【００１０】
また、この発明にあっては、カップが重なった状態で取り出されるのを確実に防止するため、前記バネ体を、細径のコイルスプリングで形成したものを複数本並べた状態で前記スリットに嵌合し巻装するのが望ましい。
【００１２】
【発明の実施の形態】
以下、添付図面に示す実施の形態例に基づき、この発明を詳細に説明する。
【００１３】
図１と図２は、この発明の実施の第１形態例に係るカップディスペンサー１０を示しており、この形態例に係るカップディスペンサー１０は、内筒体１１と、この内筒部１１の胴部１２が回転自在に嵌装される外筒体２０と、から構成されている。尚、上記外筒体２０内に収納される積層されたカップは、図示しないスプリングの付勢力によって常態において取出口方向に押圧付勢されている。また、上記外筒体２０のカップ取出口とは反対側の端部は、特に図示はしないが、従来のカップディスペンサーと同様、キャビネット内に配設された支持具に筒体を固定するロッドが突設された蓋体によって閉塞されている。
【００１４】
内筒体１１は、その胴部１２の周方向に沿って所要間隔毎、本形態例では１２０度毎にスリット１３Ａ，１３Ｂ，１３Ｃが開設されていると共に、上記胴部１２のスリット開設部位より奥行側には、突起１４が所要間隔毎に、本形態例では１２０度毎に突設されている。尚、図中符号１５Ａはスリット１３Ａとスリット１３Ｃの間の堰部を、１５Ｂはスリット１３Ａとスリット１３Ｂの間の堰部を、１５Ｃはスリット１３Ｂとスリット１３Ｃの間の堰部を夫々示している。
【００１５】
一方、上記外筒体２０の取出口側には、胴部周方向に沿って所要間隔毎、本形態例では１２０度毎にスリット２１Ａ，２１Ｂ，２１Ｃが開設されていると共に、上記胴部のスリット開設部位より奥行側には、前記内筒体１１の突起１４がスライド自在に嵌合されるガイド溝２２が所要間隔毎に、本形態例では１２０度毎に開設されている。尚、図中符号２３は、止めねじ２４を螺合保持する係止筒を示しており、上記止めねじ２４を固定方向に締めることで、口径調整が終了した内筒体１１を回転しないように固定し、内筒体１１と外筒体２０とを一体化することができる。尚、図中符号２５Ａはスリット２１Ａとスリット２１Ｃの間の堰部を、２５Ｂはスリット２１Ａとスリット２１Ｂの間の堰部を、２５Ｃはスリット２１Ｂとスリット２１Ｃの間の堰部を夫々示している。
【００１６】
このように構成された内筒体１１は、外筒体２０に回転自在に嵌装されて組み立てられている。このとき、内筒体１１のスリット１３Ａ，１３Ｂ，１３Ｃと外筒体２０のスリット２１Ａ，２１Ｂ，２１Ｃは同心となり、また、内筒体１１の突起１４は外筒体２０のガイド溝２２にスライド自在に嵌装されており、内筒体１１の抜け出し方向への移動が規制されている。
【００１７】
そして、このように構成された外筒体２０の外周面には、リング状に連結されたスプリングＳが巻装されている。このとき、このスプリングＳは、上記スリット１３Ａと２１Ａ，１３Ｂと２１Ｂ及び１３Ｃと２１Ｃに嵌合され、みだりに脱落しないように巻装されている。
【００１８】
次に、このように組み立てられたカップディスペンサー１０の作用を図３乃至図５に基づき説明する。
【００１９】
図３に示す状態、即ち、内筒体１１の突起１４が外筒体２０のガイド溝２２の上端部側にあるときには、上記内筒体１１の堰部１５Ａと外筒体２０の堰部２５Ａが、内筒体１１の堰部１５Ｂと外筒体２０の堰部２５Ｂが、内筒体１１の堰部１５Ｃと外筒体２０の堰部２５Ｃが夫々重合した状態にセットされており、その結果、前記スプリングＳは略正三角形状に巻装された状態となる。
【００２０】
このため、内筒体１１の中心から略三角形状のスプリングＳの一辺までの垂線の長さと同じ半径ｒ1 の口径を有するカップＣ1 が収納可能となる。
【００２１】
図４に示す状態、即ち、内筒体１１を反時計方向に回転させ、該内筒体１１の突起１４が外筒体２０のガイド溝２２の中程にセットしたときには、上記内筒体１１の堰部１５Ａ，１５Ｂ，１５Ｃが外筒体２０の堰部２５Ａ，２５Ｂ，２５Ｃから夫々略３０度離れるため、スプリングＳの形状が変則六角形状に変形するため、内筒体１１の中心からスプリングＳの一辺までの垂線の長さが半径ｒ2 まで拡大するのでカップＣ1 より口径が大きなカップＣ2 が収納可能となる。
【００２２】
次に、図５に示す状態、即ち、内筒体１１をさらに反時計方向に回転させ、該内筒体１１の突起１４が外筒体２０のガイド溝２２の下端部側にセットしたときには、上記内筒体１１の堰部１５Ａ，１５Ｂ，１５Ｃが外筒体２０の堰部２５Ａ，２５Ｂ，２５Ｃから夫々略６０度離れるため、スプリングＳの形状が略正六角形状に変形するため、内筒体１１の中心からスプリングＳの一辺までの垂線の長さが半径ｒ3 まで拡大するのでカップＣ2 より口径が大きなカップＣ3 が収納可能となる。
【００２３】
このように、本形態例に係るカップディスペンサー１０にあっては、内筒体１１を回転操作させるだけで、収納するカップの口径サイズを容易に調整することができる。
【００２４】
図６は、この発明の実施の第２形態例を示しており、この形態例では、第１形態例で用いたスプリングＳを、細径のコイルスプリングで２本（ＳA ，ＳB ）形成し、これら２本のスプリングＳA ，ＳB を重ねた状態で前記スリット１３Ａと２１Ａ，１３Ｂと２１Ｂ及び１３Ｃと２１Ｃに嵌合し巻装することで、必ず一方のスプリングＳA またはＳB がカップＣの開口縁に引っ掛かるように構成することで、カップＣが重なった状態で取り出されるのを確実に防止するように構成した他は、その他の構成・作用は、前記第１形態例と同様であるので、図面には、第１形態例で用いた符号と同一の符号を付して、その詳細な説明をここでは省略する。
【００２５】
図７は、この発明の実施の第３形態例を示しており、この形態例では、カップディスペンサー３０を、内筒体３１と、外筒体４０と、抑え筒体４７と、から構成している。
【００２６】
上記内筒体３１は、その胴部３２の外周に鍔片３３が突設され、この鍔片３３には、ボルト３４が所要間隔毎に螺装されている。尚、図中符号３５は、上記ボルト３４の巻装される緩み止め用スプリングである。
【００２７】
また、上記内筒体３１の胴部３２が嵌装される外筒体４０は、その取出口側端部にフランジ４１が延設されており、該フランジ４１には、内筒体３１の各ボルト３４が挿通されるボルト孔４２が開設されている。従って、内筒体３１を外筒体４０に嵌合したときには、上記ボルト３４がフランジ４１のボルト孔４２に挿通され、ナット４３を緊締することで、内筒体３１と外筒体４０は一体的に固定される。
【００２８】
さらに、上記外筒体４０の胴部には、その周方向に沿って所要数、本形態例では４個の切欠き穴４４が開設されていると共に、該切欠き穴４４内には切り起し片４５が夫々形成されている。
【００２９】
この切り起し片４５は、バネとして作用するもので、バネへたりを防止するため、補助スプリング４６を介して外筒体４０の内方に向かって付勢されており、その折曲された先端部が収納されたカップの口部に弾接し、カップの抜け出しを防止するように作用する。
【００３０】
そして、上記補助スプリング４６は、外筒体４０の外周面に嵌合固定される抑え筒体４７によって該抑え筒体４７と切り起し片４５との間に圧縮保持されるので、該切り起し片４５は常に外筒体４０の内方に向かって押圧される。
【００３１】
【発明の効果】
この発明に係るカップディスペンサーは、以上説明したように、収納されるカップサイズに適合するように係止手段をアジャスタブルに調整するように構成されているので、筒体をカップサイズに対応させて用意し交換する心配が全くなく、使い勝手が非常に良好であると共に、効率的である等、幾多の優れた効果を奏する。
【図面の簡単な説明】
【図１】この発明の実施の第１形態例に係るカップディスペンサーの構成を示す斜視図である。
【図２】同カップディスペンサーの分解斜視図である。
【図３】同カップディスペンサーを構成する内筒体と外筒体及びスプリングの関係を示す説明図である。
【図４】同カップディスペンサーを構成する内筒体を回転操作したときの内・外筒体及びスプリングの状態を示す説明図である。
【図５】同カップディスペンサーを構成する内筒体を回転操作したときの内・外筒体及びスプリングの他の状態を示す説明図である。
【図６】この発明の実施の第２形態例に係るカップディスペンサーの構成を示す要部断面斜視図である。
【図７】この発明の実施の第３形態例に係るカップディスペンサーの構成を示す要部半截断面図である。
【図８】カップディスペンサーを有するキャビネットの分解斜視図である。
【図９】同キャビネットの側面図である。
【図１０】カップディスペンサーの全体斜視図である。
【図１１】従来のカップディスペンサーの構成を示す要部半截断面図である。
【符号の説明】
Ｃ  カップ
Ｓ，ＳA ，ＳB   スプリング
１０，３０  カップディスペンサー
１１，３１  内筒体
１２，３２  内筒体の胴部
１３Ａ，１３Ｂ，１３Ｃ  スリット
１４  突起
１５Ａ，１５Ｂ，１５Ｃ  堰部
２０，４０  外筒体
２１Ａ，２１Ｂ，２１Ｃ  スリット
２２  ガイド溝
２５Ａ，２５Ｂ，２５Ｃ  堰部
【図１】
0004063930.tif 000002
【図２】
0004063930.tif 000003
【図３】
0004063930.tif 000004
【図４】
0004063930.tif 000005
【図５】
0004063930.tif 000006
【図６】
0004063930.tif 000007
【図７】
0004063930.tif 000008
【図８】
0004063930.tif 000009
【図９】
0004063930.tif 000010
【図１０】
0004063930.tif 000011
【図１１】
0004063930.tif 000012